(57)【要約】【目的】  本来の電話機能部の基本構成に大幅な変更を生じることなしに放送波を受信できる携帯型電話装置を提供する。【構成】  画像信号処理部１４は、ＣＣＤ（荷電結合素子）１５からの画像信号を処理して例えばＲＧＢ（ディジタル）信号を生成し、このＲＧＢ信号をビデオ切替部１７を介して液晶表示パネル１６に供給する。ビデオ切替部１７は携帯電話ＣＰＵ１１の指令に基づいてＣＣＤ画像を液晶表示パネル１６に供給するか或いはチューナユニット２からの放送受信画像を液晶表示パネル１６に供給するかを切り替える。また、オーディオ切替部１８は、電話音声と放送受信音声とを入力し、携帯電話ＣＰＵ１１の指令に基づいていずれかを選択して音声信号を生成し、スピーカ或いはイヤホンに供給する。【選択図】      図２
2005057597.tif 000002
【特許請求の範囲】
【請求項１】
撮像部と、キー入力部と、当該キー入力部からの操作キー信号に基づいて各種電話機能処理を行うと共に前記撮像部からの撮像信号を処理して画像信号出力を行う第１制御部と、画像表示を行うディスプレイ部と、音声出力を行う音声出力部と、を備えた電話機能本体部、
及び放送波を受信選択する処理を行って音声・画像信号出力を行う第２制御部を備えたチューナ機能部、
を備え、前記電話機能本体部は、前記第１制御部からの画像信号と前記第２制御部からの放送受信に基づく画像信号とを入力し、いずれかを選択して前記ディスプレイ部に供給する画像切替手段と、前記第１制御部からの通話音声信号と前記第２制御部からの放送受信に基づく音声信号とを入力し、いずれかを選択して前記音声出力部に供給する音声切替手段と、を備えたことを特徴とする携帯型電話装置。
【請求項２】
撮像部と、キー入力部と、当該キー入力部からの操作キー信号に基づいて各種電話機能処理を行うと共に前記撮像部からの撮像信号を処理して画像信号出力を行う第１制御部と、前記第１制御部から出力された画像信号に基づいて画像表示を行うディスプレイ部と、音声出力を行う音声出力部と、を備えた電話機能本体部、
及び放送波を受信選択する処理を行って音声・画像信号出力を行う第２制御部を備えたチューナ機能部、
を備え、前記電話機能本体部は、前記撮像部からの撮像信号と前記第２制御部からの放送受信に基づく画像信号とを入力し、いずれかを選択して前記第１制御部に供給する画像切替手段と、前記第１制御部からの通話音声信号と前記第２制御部からの放送受信に基づく音声信号とを入力し、いずれかを選択して前記音声出力部に供給する音声切替手段と、を備えたことを特徴とする携帯型電話装置。
【請求項３】
請求項１又は請求項２に記載の携帯型電話装置において、前記チューナ機能部は、放送受信に基づく画像に対して、拡大、縮小、回転の少なくとも一つの処理を行う画像処理部を備えたことを特徴とする携帯型電話装置。
【請求項４】
請求項３に記載の携帯型電話装置において、前記チューナ機能部は電源回路を備えて前記第２制御部が常時電力供給を受けると共に、前記画像処理部は前記第２制御部による制御にてＯＮ／ＯＦＦ制御されるように構成されたことを特徴とする携帯型電話装置。
【請求項５】
請求項１乃至請求項４のいずれかに記載の携帯型電話装置において、前記チューナ機能部は電話機能本体部に対して着脱可能に設けられるユニット構造を有することを特徴とする携帯型電話装置。
【発明の詳細な説明】
【技術分野】
【０００１】
この発明は携帯型電話装置に関する。
【背景技術】
【０００２】
近年、携帯電話においてはディスプレイの大画面化やカメラ機能の搭載等、映像機能の強化が図られてきている。更に、ＴＶチューナ機能を備え、前記ディスプレイにて放送映像の視聴を可能にすることも試みられている。なお、追加モジュールを組み込み可能とした携帯電話装置（特許文献１参照）が知られている。
【特許文献１】特開平９−３６９４１号公報
【発明の開示】
【発明が解決しようとする課題】
【０００３】
ところで、放送波を受信することを本来的な機能としていない携帯型電話装置にチューナ機能を備えて放送受信することにおいては、既存の本来の電話機能部の基本構成に大幅な変更を生じることなしに、良好に放送波を受信できるようにすることが望まれる。
【０００４】
この発明は、本来の電話機能部の基本構成に大幅な変更を生じることなしに放送波を受信できる携帯型電話装置を提供することを目的とする。
【課題を解決するための手段】
【０００５】
この発明の携帯型電話装置は、上記の課題を解決するために、撮像部と、キー入力部と、当該キー入力部からの操作キー信号に基づいて各種電話機能処理を行うと共に前記撮像部からの撮像信号を処理して画像信号出力を行う第１制御部と、画像表示を行うディスプレイ部と、音声出力を行う音声出力部と、を備えた電話機能本体部、及び放送波を受信選択する処理を行って音声・画像信号出力を行う第２制御部を備えたチューナ機能部、を備え、前記電話機能本体部は、前記第１制御部からの画像信号と前記第２制御部からの放送受信に基づく画像信号とを入力し、いずれかを選択して前記ディスプレイ部に供給する画像切替手段と、前記第１制御部からの通話音声信号と前記第２制御部からの放送受信に基づく音声信号とを入力し、いずれかを選択して前記音声出力部に供給する音声切替手段と、を備えたことを特徴とする。
【０００６】
また、この発明の携帯型電話装置は、撮像部と、キー入力部と、当該キー入力部からの操作キー信号に基づいて各種電話機能処理を行うと共に前記撮像部からの撮像信号を処理して画像信号出力を行う第１制御部と、前記第１制御部から出力された画像信号に基づいて画像表示を行うディスプレイ部と、音声出力を行う音声出力部と、を備えた電話機能本体部、及び放送波を受信選択する処理を行って音声・画像信号出力を行う第２制御部を備えたチューナ機能部、を備え、前記電話機能本体部は、前記撮像部からの撮像信号と前記第２制御部からの放送受信に基づく画像信号とを入力し、いずれかを選択して前記第１制御部に供給する画像切替手段と、前記第１制御部からの通話音声信号と前記第２制御部からの放送受信に基づく音声信号とを入力し、いずれかを選択して前記音声出力部に供給する音声切替手段と、を備えたことを特徴とする。
【０００７】
これらの構成であれば、電話機能本体部にチューナ機能を組み入れるのではなく、電話機能本体部は前記画像切替手段や音声切替手段を備えてチューナ機能部から受けた信号を必要に応じて選択するから、本来の電話機能部の基本構成に大幅な変更を生じることなしに放送波を受信して本体部のディスプレイ部にて表示できることになる。
【０００８】
前記チューナ機能部は、放送受信に基づく画像に対して、拡大、縮小、回転の少なくとも一つの処理を行う画像処理部を備えるのがよい。これによれば、電話機能本体部側で上記画像処理を行うこととする場合の基本構成変更を回避することができる。そして、前記チューナ機能部は電源回路を備えて前記第２制御部が常時電力供給を受けると共に、前記画像処理部は前記第２制御部による制御にてＯＮ／ＯＦＦ制御されるように構成されているのがよい。かかる構成であれば、第２制御部が常時電力供給を受けることで、第１制御部との間でのバス接続においてバスの不所望なグランド化を回避して第１制御部への悪影響を防止でき、更に、画像処理部は前記第２制御部による制御にてＯＮ／ＯＦＦ制御されることにより、消費電力の低減が図れることになる。
【０００９】
また、これら携帯型電話装置において、前記チューナ機能部は電話機能本体部に対して着脱可能に設けられるユニット構造を有することとしてもよい。
【発明の効果】
【００１０】
以上説明したように、この発明の携帯型電話装置によれば、電話機能本体部にチューナ機能を組み入れるのではなく、電話機能本体部は前記画像切替手段や音声切替手段を備えてチューナ機能部から受けた信号を必要に応じて選択する構成であるから、本来の電話機能部の基本構成に大幅な変更を生じることなしに放送波を受信して本体側のディスプレイにて表示できることになる。前記チューナ機能部が画像回転等のための画像処理部を備える構成であれば、電話機能本体部側で上記画像処理を行うこととする場合の基本構成変更を回避することができる。また、前記チューナ機能部がその電源回路から常時電力供給を受ける構成であれば、バスの不所望なグランド化を回避して電話機能本体部への悪影響を防止でき、更に、画像処理部は前記第２制御部による制御にてＯＮ／ＯＦＦ制御される構成であれば、消費電力の低減が図れることになる。
【発明を実施するための最良の形態】
【００１１】
以下、この発明の実施形態の携帯電話を図１乃至図３に基づいて説明する。
【００１２】
図１は携帯電話５の分解斜視図である。本体ユニット１には電池パック収容部１ａが形成されている。この電池パック収容部１ａ内にチューナユニット２及び電池パック３を順次に収容することができる。
【００１３】
電池パック３にはアンテナ３ａが設けられている。そして、電池パック３の裏面上端側には前記アンテナ３ａで発生した受信信号を出力するアンテナ信号出力端子（図示せず）が形成されている。前記アンテナ３ａは支持部３ｂにて回動可能に支持されている。支持部３ｂはクリック機構３ｃに連結されている。電池パック３にはアンテナ３ａを収容する収容凹部３ｄが形成されている。
【００１４】
チューナユニット２はＴＶ放送波（アナログ放送波或いはディジタル放送波）を受信する。チューナユニット２の表面側の上縁部にはアンテナ信号入力端子２ａが設けられている。アンテナ信号入力端子２ａには、電池パック３の装着時、当該電池パック３の裏面に形成された前述のアンテナ信号出力端子が接触する。
【００１５】
本体ユニット１の電池パック収容部１ａ内には、電池パック３との間で電力の送受を行う電源端子や前記チューナユニット２に電力を供給するための電源端子やバス端子等が設けられている。
【００１６】
図２に携帯電話５の回路構成を示している。ＡＣアダプタ（充電器）４に携帯電話１がセットされると、ＡＣアダプタ（充電器）４から本体ユニット１の電源部１０に電力供給が行われる。電源部１０は電池パック３の電池（二次電池）３０との間で電力の送受を行うと共にチューナユニット２に電力供給を行う。携帯電話ＣＰＵ１１には通信処理部１２、キー操作部１３、画像信号処理部１４等が接続されており、電話通信に必要な処理やキー操作に対応した処理を実行する。また、画像信号処理部１４は、ＣＣＤ（荷電結合素子）１５からの画像信号を処理して例えばＲＧＢ（ディジタル）信号を生成し、このＲＧＢ信号をビデオ切替部１７を介して液晶表示パネル１６に供給する。ビデオ切替部１７は携帯電話ＣＰＵ１１の指令に基づいてＣＣＤ画像を液晶表示パネル１６に供給するか或いはチューナユニット２からの放送受信画像を液晶表示パネル１６に供給するかを切り替える。また、オーディオ切替部１８は、電話音声と放送受信音声とを入力し、携帯電話ＣＰＵ１１の指令に基づいていずれかを選択して音声信号を生成し、スピーカ或いはイヤホンに供給する。
【００１７】
チューナユニット２におけるチューナ部２２は、アンテナ信号入力端子２ａから供給されるアンテナ３ａの受信信号から選局された信号の中間周波数信号を取り出す。ＴＶ音声画像処理制御部２１はチューナ部２２が受信選択した放送信号を入力して信号処理を行う。ＴＶ音声画像処理制御部２１におけるＣＰＵ部２１ａは、携帯電話ＣＰＵ１１にバス接続される。携帯電話ＣＰＵ１１はキー操作情報を前記バスを通じてＣＰＵ部２１ａに送信する。ＣＰＵ部２１ａは放送受信音声・画像の符号／復号処理や前記キー操作情報に基づく各種の処理（チャンネル制御等）を実行する。ＴＶ音声画像処理制御部２１における画像処理部２１ｂは、ＣＰＵ部２１ａの指令を受けて放送受信画像の拡大・縮小処理や回転処理を行う。画像処理部２１ｂの画像出力端子は本体ユニット１のビデオ切替部１７に接続される。画像処理部２１ｂが出力する画像をＲＧＢ信号とし、時分割処理で本体ユニット１側へ出力することとしてもよい。また、前記ＣＰＵ部２１ａは放送受信音声として例えばＡＡＣオーディ信号を音声端子から出力するように構成される。この音声端子は本体ユニット１のオーディオ切替部１８に接続される。システム部２３はバス上への受信音声・画像（ストリーム）供給、各回路やメモリのクロック制御等を行う。例えば、放送受信画像の録画時、システム部２３の制御によって受信音声・画像（ストリーム）がメモリに格納される。
【００１８】
このように、本体ユニット１にチューナ機能を組み入れるのではなく、本体ユニット１は前記ビデオ切替部１７やオーディオ切替部１８（切替ソフトウェア）を備えてチューナユニット２から受けた信号を必要に応じて選択するから、本来の電話機能部の基本構成に大幅な変更を生じることなしに放送波を受信して液晶表示パネル１６に表示できることになる。また、かかるチューナユニット２を備えたことで、通話を実行しながら或いは電話待ち受け状態で上述したごとく放送受信画像の録画処理を行うことも可能になる。
【００１９】
また、チューナユニット２は、放送受信に基づく画像に対して、拡大、縮小、回転の処理を行う画像処理部２１ｂを備えるので、本体ユニット１側で上記画像処理を行うこととする場合の基本構成変更を回避することができる。更に、この実施形態では、チューナユニット２は電源回路２０を備えて前記ＣＰＵ部２１ａが常時電力供給を受ける（常時同じ電力である必要はなく、最小駆動状態時には最小電力供給を受ければよい）と共に、画像処理部２１ｂは前記ＣＰＵ部２１ａによる制御にてＯＮ／ＯＦＦ制御（起動制御）されるように構成している。すなわち、受信放送録画時など、回転等の画像処理が不要である場合には、画像処理部２１ｂは起動させない。このように、ＣＰＵ部２１ａが常時電力供給を受けることで、ＴＶ音声画像処理ＣＰＵ２１との間でのバス接続においてバスの不所望なグランド化を回避してＴＶ音声画像処理ＣＰＵ２１への悪影響を防止でき、更に、画像処理部２１ｂは前記ＣＰＵ部２１ａによる制御にてＯＮ／ＯＦＦ（起動時スリープ等）されることにより、消費電力の低減が図れる。なお、本体側においても、画像信号処理部１４が携帯電話ＣＰＵ１１による制御にてＯＮ／ＯＦＦ（起動時スリープ等）される構成としてもよい。
【００２０】
図３は携帯電話５の他の回路構成例を示している。この回路構成例では、前述のビデオ切替部１７に代えてビデオ切替部１７′を備える。ビデオ切替部１７′は、ＣＣＤ１５からのＣＣＤ画像とチューナユニット２からの放送受信画像とを入力し、携帯電話ＣＰＵ１１の指令に基づいていずれかの画像を画像信号処理部１４に出力する。画像信号処理部１４は入力画像をＲＧＢ（ディジタル）信号に変換し、このＲＧＢ信号を液晶表示パネル１６に供給する。なお、ＣＣＤ１５からの画像信号形態とチューナユニット２からの放送受信画像信号形態とを同じにしておくのが望ましい。
【図面の簡単な説明】
【００２１】
【図１】この発明の実施形態の携帯電話を示した分解斜視図である。
【図２】この発明の実施形態の携帯電話を示したブロック図である。
【図３】この発明の他の実施形態の携帯電話を示したブロック図である。
【符号の説明】
【００２２】
１    本体ユニット
１ａ  電池パック収容部
２    チューナユニット
３    電池パック
３ａ  アンテナ
５    携帯電話
１１  携帯電話ＣＰＵ
１２  通信処理部
１３  キー操作部
１４  画像信号処理部
１７  ビデオ切替部
１７′ビデオ切替部
１８  オーディオ切替部
２１  ＴＶ音声画像処理制御部
２１ａＣＰＵ部
２１ｂ画像処理部
２２  チューナ部
【図１】
2005057597.tif 000003
【図２】
2005057597.tif 000004
【図３】
2005057597.tif 000005